(57)【要約】【課題】シートの位置決めを簡単に行うことができ且つ当該位置決め状態を維持することができるシートガイドの提供。【解決手段】このシートガイド１０は、画像記録装置の給紙トレイ等に採用され、シートを支持し位置決めする。シートガイド１０は、ラック・ピニオン機構１５を有する。ラック・ピニオン機構１５は、ベース１６に配置されたピニオン１７と、このピニオン１７と噛合した一対のラック１８、１９とを備えている。ベース１６に押圧アーム３１が設けられている。押圧アーム３１は、ラック１８をピニオン１７に押し付ける。ラック１８の他端２６が当接する支持板３５が設けられている。当該他端２６は、支持板３５の支持面３６に支持される。支持面３６のピニオン１７側の領域は、傾斜している。【選択図】図４
2012001327.tif 000002
【特許請求の範囲】
【請求項１】
シートが載置されるベースと、
当該ベースに回転自在に設けられたピニオンと、
当該ピニオンを挟んで対向するように当該ピニオンと噛合し且つ当該ピニオンの回転により相対的にスライド可能な一対のラックと、
当該一対のラックの一端部に設けられ、当該一対のラックのスライドに伴って互いに接離することにより上記シートを当該スライド方向に位置決めする一対の位置決め部材と、
上記ベースに設けられ、一対のラックの一端部と係合し、当該一端部を上記スライド方向に移動するように案内するスライド案内部と、
上記ベースに設けられ、少なくとも一方のラックの上記ピニオンと噛合している部位よりも他端側の部位を上記ピニオン側へ押圧する押圧部材とを備えたシートガイド。
【請求項２】
上記スライド方向に延び且つ上記押圧部材が上記ラックを押圧する押圧向きと反対の向きに上記ラックの他端部を支持する支持面が形成された支持部材が上記ベースに設けられ、
上記支持面のうち上記ピニオンの近傍の領域は、上記ピニオン側の端部から上記スライド方向に沿って遠ざかるに連れて上記押圧向きと反対側へ傾斜している請求項１に記載のシートガイド。
【請求項３】
上記スライド方向に延び且つ上記押圧部材が上記ラックを押圧する押圧向きと反対の向きに上記ラックの他端部を支持する支持面が形成された支持部材が上記ベースに設けられており、
当該支持部材の上記ピニオン側の端部は、上記押圧部材が上記ラックを押圧する力が一定以上とならないように上記ピニオンから離れている請求項１に記載のシートガイド。
【請求項４】
上記スライド方向に延び且つ上記押圧部材が上記ラックを押圧する押圧向きと反対の向きに上記ラックの他端部を支持する支持面が形成された支持部材が上記ベースに設けられ、
上記ラックの上記押圧部材が当接する面は、当該ラックの他端から上記スライド方向に沿って遠ざかるに連れて上記押圧向きと反対側へ傾斜している請求項１に記載のシートガイド。
【請求項５】
シートが載置されるベースと、
当該ベースに回転自在に設けられたピニオンと、
当該ピニオンを挟んで対向するように当該ピニオンと噛合し且つ当該ピニオンの回転により相対的にスライド可能な一対のラックと、
当該一対のラックの一端部に設けられ、当該一対のラックのスライドに伴って互いに接離することにより上記シートを当該スライド方向に位置決めする一対の位置決め部材と、
上記ベースに設けられ、一対のラックの一端部と係合し、当該一端部を上記スライド方向に移動するように案内するスライド案内部と、
少なくとも一方のラックの上記ピニオンと噛合している部位よりも一端側に突設され、上記ピニオンが配置された側と反対側へ突出する当接部と、
上記ベースに設けられ、上記スライド方向に延び且つ上記当接部を上記ピニオンが配置された側へ押圧する支持面が形成された支持部材とを備え、
上記支持面のうち上記ピニオンの近傍の領域は、上記位置決め部材が互いに接近するように上記ラックがスライドされたときに上記ピニオンとの距離が漸次大きくなるように上記スライド方向に対して傾斜しているシートガイド。
【請求項６】
シートが載置されるベースと、
当該ベースに回転自在に設けられたピニオンと、
当該ピニオンを挟んで対向するように当該ピニオンと噛合し且つ当該ピニオンの回転により相対的にスライド可能な一対のラックと、
当該一対のラックの一端部に設けられ、当該一対のラックのスライドに伴って互いに接離することにより上記シートを当該スライド方向に位置決めする一対の位置決め部材と、
上記ベースに設けられ、一対のラックの一端部と係合し、当該一端部を上記スライド方向に移動するように案内するスライド案内部と、
少なくとも一方のラックの上記ピニオンと噛合している部位よりも一端側に突設され、上記ピニオンが配置された側と反対側へ突出する当接部と、
上記ベースに設けられ、上記スライド方向に延び且つ上記当接部を上記ピニオンが配置された側へ押圧する支持面が形成された支持部材とを備え、
当該支持部材の上記ピニオン側の端部は、当該支持部材が上記当接部を押圧する力が一定以上とならないように上記ピニオンから離れているシートガイド。
【請求項７】
搬送路に沿って所定の搬送向きに搬送されるシートに画像を記録する画像記録部と、
上記請求項１ないし６のいずれかに記載のシートガイドとを備え、
当該シートガイドのベースが上記搬送路の上流側と接続されている記録装置。
【発明の詳細な説明】
【技術分野】
【０００１】
この発明は、たとえば記録用紙等のシートが搬送される際に当該シートを搬送方向と交差する方向に位置決めするシートガイドの構造に関するものである。このようなシートガイドは、典型的には画像記録装置に搭載されたＡＤＦその他原稿トレイや記録用紙を保持する給紙トレイに採用される。
【背景技術】
【０００２】
複写機、プリンタなどの画像記録装置は、複数枚のシート（具体的には原稿又は記録用紙）を積載するトレイを備えている。トレイに保持されたシートは、一枚ずつ分離されて所定の搬送向きに送られ、画像読取や画像記録などの画像処理が施される。良好な画像処理が行われるために、シートが搬送される際の斜行が防止されなければならない。そのため、従来から、上記トレイはシートガイドを備えている（たとえば、特許文献１〜特許文献４参照）。
【０００３】
このシートガイドは、シートを上記搬送向きに沿って案内するガイドを備えている。このガイドは上記搬送向きに沿った一対のガイド面を有し、これらガイド面に沿ってシートが位置決めされる。シートを位置決めするために２つの方式があり、いわゆるサイドレジ方式、センターレジ方式と称されている。サイドレジ方式では、一方のガイド面が固定され、この固定されたガイド面にシートの一側辺が当接された状態で他方のガイド面が一方のガイド面に対して接離し、当該シートの他側辺に当接する。これにより、当該シートは、一方のガイド面を基準として位置決めされる。また、センターレジ方式では、一対のガイド面が互いに相対的に接離し、両ガイド面はシートの両側辺に当接する。これにより、当該シートは、両側辺が両ガイド面に挟み込まれる状態で、両ガイド面の中央を基準に位置決めされる。なお、一対のサイドガイドを相対的に接離させる典型的手段は、ラック・ピニオン機構である。
【０００４】
いずれの方式においても、シートの迅速な位置決めが実現されるために、上記一対のガイド面は、搬送されるシートのサイズに合わせて容易に接離することが要請される。その一方で、複数のシートについて良好な画像処理が行われるために、シートの連続搬送中に上記ガイド面の移動が規制されなければならない。特に、ラック・ピニオン機構を備えたセンターレジ方式では、一対のガイド面が相対的に接離しやすいため、当該ガイド面の移動規制の要請が強い。かかる要請を受けて従来のシートガイドは、ピニオンに摺動ワッシャを備えている。これにより、ピニオンが回転する際に摺動抵抗力が発生し、一対のガイド面が容易に移動することが規制されている。
【先行技術文献】
【特許文献】
【０００５】
【特許文献１】特開２０００−１７７８５０号公報
【特許文献２】特許第４３９６７２７号公報
【特許文献３】特開平９−１３６７２８号公報
【特許文献４】実公平７−５４１９３号公報
【発明の概要】
【発明が解決しようとする課題】
【０００６】
一般に、上記摺動ワッシャは、ピニオンと共にネジ等により締結される。しかし、このような摺動ワッシャが設けられることにより、シートガイドの寸法（ピニオンの厚み方向の寸法）が増大し、その結果、シートガイドを搭載した画像記録装置の大型化を招いていた。
【０００７】
また、上記摺動ワッシャが付加される場合、構造上、安定した摺動抵抗力が発揮されにくい。そのため、摺動抵抗力が極端に増大又は減少するときは、シートの位置決め作業がしにくくなるという問題もある。もっとも、摺動ワッシャに対する締結力を調整する機構が別途設けられるならば安定した摺動抵抗力が発揮され得るが、そのような機構が設けられると、さらなる画像記録装置の大型化及びコストアップを招く。
【０００８】
そこで、本発明の目的は、センターレジ方式によるシートの位置決めを簡単に行うことができ且つ当該位置決め状態を維持することができる簡単な構造を備えたシートガイドを提供することである。
【課題を解決するための手段】
【０００９】
(1) 本発明に係るシートガイドは、シートが載置されるベースと、当該ベースに回転自在に設けられたピニオンと、当該ピニオンを挟んで対向するように当該ピニオンと噛合し且つ当該ピニオンの回転により相対的にスライド可能な一対のラックと、当該一対のラックの一端部に設けられ、当該一対のラックのスライドに伴って互いに接離することにより上記シートを当該スライド方向に位置決めする一対の位置決め部材と、上記ベースに設けられ、一対のラックの一端部と係合し、当該一端部を上記スライド方向に移動するように案内するスライド案内部と、上記ベースに設けられ、少なくとも一方のラックの上記ピニオンと噛合している部位よりも他端側の部位を上記ピニオン側へ押圧する押圧部材とを備えている。
【００１０】
この構成によれば、シートは、一対の位置決め部材の間に配置された状態でベース上に載置される。一対の位置決め部材は、上記ピニオンと一対のラックにより構成されるラック・ピニオン機構を介してピニオンを中心として相対的に近接／離反するようにスライドする。一対の位置決め部材は、一対のラックのそれぞれの一端部に設けられているから、一対のラックがスライドすることにより一対の位置決め部材が互いに接近する。これにより、各位置決め部材が上記シートを挟み込むように当該シートのスライド方向の両縁に当接し、当該シートは、当該スライド方向に位置決めされる。
【００１１】
上記ラックがスライドする際に当該ラックの一端部が上記スライド案内部によって案内されるので、一対のラックのスライド動作、すなわち一対の位置決め部材の上記スライド方向に沿った接離動作が円滑になる。しかも、少なくとも一方のラックは、上記押圧部材から上記押圧力を受ける。具体的には、当該ラックは、上記ピニオンに支持された部位を支持ポイントとして当該記ピニオンよりも他端側の部位に当該ピニオン側へ押し付けられる力を受ける。したがって、当該ラックに曲げモーメントが作用し、上記ピニオンと噛合する部位に支点反力が発生する。この支点反力によって当該ラックと上記ピニオンとの間に摩擦力が発生し、この摩擦力は上記ラックのスライド抵抗となる。しかも、上記ピニオンと上記押圧部材との距離は常に一定であるから、上記摩擦力も常に略一定となる。
【００１２】
(2) 上記スライド方向に延び且つ上記押圧部材が上記ラックを押圧する押圧向きと反対の向きに上記ラックの他端部を支持する支持面が形成された支持部材が上記ベースに設けられているのが好ましい。そして、上記支持面のうち上記ピニオンの近傍の領域は、上記ピニオン側の端部から上記スライド方向に沿って遠ざかるに連れて上記押圧向きと反対側へ傾斜しているのが好ましい。
【００１３】
前述のように上記ピニオンを支点ポイントとして上記ラックが押圧されると、当該ラックが弾性変形する。この変形量は、上記曲げモーメント及び当該ラックの断面係数によって決定されるが、当該変形量によって当該ラックが対向する他方のラックと接触するおそれがある。しかし、上記支持部材が設けられているから、上記変形量が大きくなったとしても上記ラックが上記支持面に当接し、上記ラック同士の衝突は回避される。
【００１４】
ところで、上記ラックが上記支持面に当接した場合、当該ラックと上記支持部材との接触部位に支点が発生し、所定の支点反力が生じる。つまり、当該ラックは、上記支持ポイントにおける支点反力Ｒａ、上記支持部材との接触部位における支点反力Ｒｂ及び上記押圧部材による押圧力Ｐを受け、しかも、押圧力Ｐと支点反力Ｒｂとのスパンｓが当該ラックのスライドに伴って変化する。このため、スパンｓが小さくなったときは、支点反力Ｒｂが極端に大きくなり、当該ラックの円滑なスライドが困難になるおそれがある。しかし、上記支持面のうち上記ピニオンの近傍の領域が前述のように傾斜しているから、上記支点反力Ｒｂが極端に大きくなることが回避される。したがって、上記ラック同士の衝突が回避されつつ、一対の位置決め部材の円滑な接離動作が実現される。
【００１５】
(3) 上記スライド方向に延び且つ上記押圧部材が上記ラックを押圧する押圧向きと反対の向きに上記ラックの他端部を支持する支持面が形成された支持部材が上記ベースに設けられているのが好ましい。当該支持部材の上記ピニオン側の端部は、上記押圧部材が上記ラックを押圧する力が一定以上とならないように上記ピニオンから離れていてもよい。
【００１６】
前述のように、上記支持部材が設けられているから、上記ラックの変形量が大きくなったとしても当該ラックが上記支持面に当接するので、上記ラック同士の衝突は回避される。また、上記ラックが上記支持面に当接した場合、当該ラックと上記支持部材との接触部位に支点が発生し、所定の支点反力が生じる。つまり、当該ラックは、上記支持ポイントにおける支点反力Ｒａ、上記支持部材との接触部位における支点反力Ｒｂ及び上記押圧部材による押圧力Ｐを受け、しかも、押圧力Ｐと支点反力Ｒｂとのスパンｓが当該ラックのスライドに伴って変化する。このため、スパンｓが小さくなるに連れて支点反力Ｒｂが大きくなって、ラックのスライドが困難になる。しかし、当該支持部材の上記ピニオン側の端部が上記ピニオンから離れているので、上記スパンｓが一定以下になると上記ラックの他端部が支持部材から離れる。すなわち、上記支点反力Ｒｂが消滅する。したがって、上記ラック同士の衝突が回避されつつ、一対の位置決め部材の円滑な接離動作が実現される。
【００１７】
(4) また、上記スライド方向に延び且つ上記押圧部材が上記ラックを押圧する押圧向きと反対の向きに上記ラックの他端部を支持する支持面が形成された支持部材が上記ベースに設けられ、上記ラックの上記押圧部材が当接する面は、当該ラックの他端から上記スライド方向に沿って遠ざかるに連れて上記押圧向きと反対側へ傾斜していてもよい。
【００１８】
この場合も、上記ピニオンを支持ポイントとして上記ラックが押圧されると、当該ラックが弾性変形する。この変形量によって当該ラックが対向する他方のラックと接触するおそれがあるが、上記支持部材が設けられているから、上記変形量が大きくなったとしても上記ラックが上記支持面に当接し、上記ラック同士の衝突は回避される。同様に、上記スパンｓが小さくなったときは、上記支持ポイントにおける支点反力Ｒｂが極端に大きくなる。しかし、上記ラックの上記押圧部材が当接する面が前述のように傾斜しているから、上記支点反力Ｒｂが極端に大きくなることが回避される。したがって、上記ラック同士の衝突が回避されつつ、一対の位置決め部材の円滑な接離動作が実現される。
【００１９】
(5) さらに、本発明に係るシートガイドは、シートが載置されるベースと、当該ベースに回転自在に設けられたピニオンと、当該ピニオンを挟んで対向するように当該ピニオンと噛合し且つ当該ピニオンの回転により相対的にスライド可能な一対のラックと、当該一対のラックの一端部に設けられ、当該一対のラックのスライドに伴って互いに接離することにより上記シートを当該スライド方向に位置決めする一対の位置決め部材と、上記ベースに設けられ、一対のラックの一端部と係合し、当該一端部を上記スライド方向に移動するように案内するスライド案内部と、少なくとも一方のラックの上記ピニオンと噛合している部位よりも一端側に突設され、上記ピニオンが配置された側と反対側へ突出する当接部と、上記ベースに設けられ、上記スライド方向に延び且つ上記当接部を上記ピニオンが配置された側へ押圧する支持面が形成された支持部材とを備える。上記支持面のうち上記ピニオンの近傍の領域は、上記位置決め部材が互いに接近するように上記ラックがスライドされたときに上記ピニオンとの距離が漸次大きくなるように上記スライド方向に対して傾斜している。
【００２０】
この構成によれば、シートは、一対の位置決め部材の間に配置された状態でベース上に載置される。一対の位置決め部材は、上記ピニオンと一対のラックにより構成されるラック・ピニオン機構を介してピニオンを中心として相対的に近接／離反するようにスライドする。一対の位置決め部材は、一対のラックの一端部に設けられているから、一対のラックがスライドすることにより一対の位置決め部材が互いに接近する。これにより、各位置決め部材が上記シートを挟み込むように当該シートのスライド方向の両縁に当接し、当該シートは、当該スライド方向に位置決めされる。
【００２１】
上記ラックがスライドする際に当該ラックの一端部が上記スライド案内部によって案内されるので、一対のラックのスライド動作、すなわち一対の位置決め部材の上記スライド方向に沿った接離動作が円滑になる。しかも、少なくとも一方のラックは、上記当接部を備えているから、当該当接部を介して上記支持部材から押圧力Ｐを受ける。具体的には、当該ラックは、上記ピニオンに支持された部位を支持ポイントとして当該ピニオンよりも一端側の部位に当該ピニオン側へ押し付けられる力Ｐを受ける。したがって、当該ラックに曲げモーメントが作用し、上記ピニオンと噛合する部位（上記支持ポイント）に支点反力Ｒａが発生する。この支点反力Ｒａによって当該ラックと上記ピニオンとの間に摩擦力が発生し、この摩擦力は上記ラックのスライド抵抗となる。
【００２２】
ただし、上記ラックの一端部は上記スライド案内部に係合しているから、当該ラックに上記押圧力Ｐが作用した場合、当該ラックと上記スライド案内部との係合部位に支点が発生し、所定の支点反力Ｒｃが生じる。つまり、当該ラックは、上記支持ポイントにおける支点反力Ｒａ、当該ラックと上記スライド案内部との係合部位における支点反力Ｒｃ及び上記押圧力Ｐを受け、しかも、当該押圧力Ｐと支点反力Ｒａとのスパンｓが当該ラックのスライドに伴って変化する。このため、スパンｓが小さくなったときは、支点反力Ｒａが極端に大きくなり、当該ラックの円滑なスライドが困難になるおそれがある。しかし、上記支持面のうち上記ピニオンの近傍の領域が前述のように傾斜しているから、上記支点反力Ｒａが極端に大きくなることが回避される。したがって、一対の位置決め部材の円滑な接離動作が実現される。
【００２３】
(6) また、本発明に係るシートガイドは、シートが載置されるベースと、当該ベースに回転自在に設けられたピニオンと、当該ピニオンを挟んで対向するように当該ピニオンと噛合し且つ当該ピニオンの回転により相対的にスライド可能な一対のラックと、当該一対のラックの一端部に設けられ、当該一対のラックのスライドに伴って互いに接離することにより上記シートを当該スライド方向に位置決めする一対の位置決め部材と、上記ベースに設けられ、一対のラックの一端部と係合し、当該一端部を上記スライド方向に移動するように案内するスライド案内部と、少なくとも一方のラックの上記ピニオンと噛合している部位よりも一端側に突設され、上記ピニオンが配置された側と反対側へ突出する当接部と、上記ベースに設けられ、上記スライド方向に延び且つ上記当接部を上記ピニオンが配置された側へ押圧する支持面が形成された支持部材とを備える。当該支持部材の上記ピニオン側の端部は、当該支持部材が上記当接部を押圧する力が一定以上とならないように上記ピニオンから離れている。
【００２４】
この構成によれば、シートは、一対の位置決め部材の間に配置された状態でベース上に載置される。一対の位置決め部材は、上記ピニオンと一対のラックにより構成されるラック・ピニオン機構を介してピニオンを中心として相対的に近接／離反するようにスライドする。一対の位置決め部材は、一対のラックの一端部に設けられているから、一対のラックがスライドすることにより一対の位置決め部材が互いに接近する。これにより、各位置決め部材が上記シートを挟み込むように当該シートのスライド方向の両縁に当接し、当該シートは、当該スライド方向に位置決めされる。
【００２５】
上記ラックがスライドする際に当該ラックの一端部が上記スライド案内部によって案内されるので、一対のラックのスライド動作、すなわち一対の位置決め部材の上記スライド方向に沿った接離動作が円滑になる。しかも、少なくとも一方のラックは、上記当接部を備えているから、当該当接部を介して上記支持部材から押圧力Ｐを受ける。具体的には、当該ラックは、上記ピニオンに支持された部位を支持ポイントとして当該ピニオンよりも一端側の部位に当該ピニオン側へ押し付けられる力Ｐを受ける。したがって、当該ラックに曲げモーメントが作用し、上記ピニオンと噛合する部位（上記支持ポイント）に支点反力Ｒａが発生する。この支点反力Ｒａによって当該ラックと上記ピニオンとの間に摩擦力が発生し、この摩擦力は上記ラックのスライド抵抗となる。
【００２６】
ただし、上記ラックの一端部は上記スライド案内部に係合しているから、当該ラックに上記押圧力Ｐが作用した場合、当該ラックと上記スライド案内部との係合部位に支点が発生し、所定の支点反力Ｒｃが生じる。つまり、当該ラックは、上記支持ポイントにおける支点反力Ｒａ、当該ラックと上記スライド案内部との係合部位における支点反力Ｒｃ及び上記押圧力Ｐを受け、しかも、当該押圧力Ｐと支点反力Ｒａとのスパンｓが当該ラックのスライドに伴って変化する。このため、スパンｓが小さくなったときは、支点反力Ｒａが極端に大きくなり、当該ラックの円滑なスライドが困難になるおそれがある。しかし、上記支持部材の上記ピニオン側の端部が上記ピニオンから離れているので、上記スパンｓが一定以下になると上記ラックの他端部が支持部材から離れる。すなわち、上記支点反力Ｒａが消滅する。したがって、上記ラック同士の衝突が回避されつつ、一対の位置決め部材の円滑な接離動作が実現される。
【００２７】
(7) 加えて、搬送路に沿って所定の搬送向きに搬送されるシートに画像を記録する画像記録部及び上記請求項１ないし６のいずれかに記載のシートガイドを備え、当該シートガイドのベースが上記搬送路の上流側と接続されている記録装置が構成される。
【発明の効果】
【００２８】
この発明によれば、ラックのスライド抵抗が略一定であるから、ユーザーが一対の位置決め部材を意図的に接近させようとした場合に、上記スライド抵抗に抗する外力を付加することによって当該一対の位置決め部材を安定的にスライドさせ接近させることができる。同様に、ユーザーが一対の位置決め部材を意図的に離反させようとした場合に、上記スライド抵抗に抗する外力を付加することによって当該一対の位置決め部材を安定的にスライドさせ離反させることができる。したがって、シートが連続搬送される場合であっても各シートの確実な位置決めが達成される。しかも、上記スライド抵抗は、上記ラック及びピニオンが噛合する部位に生じた支点反力に基づく摩擦力に起因するから、当該スライド抵抗を発生させるメカニズムがきわめて簡単である。
【図面の簡単な説明】
【００２９】
【図１】図１は、本発明の一実施形態に係る複合機１００の外観斜視図である。
【図２】図２は、本発明の一実施形態に係る複合機１００の外観斜視図である。
【図３】図３は、プリンタ部１０３の内部構造を示す模式図である。
【図４】図４は、本発明の一実施形態に係るシートガイド１０の外観斜視図である。
【図５】図５は、シートガイド１０の正面図である。
【図６】図６は、シートガイド１０の裏面図である。
【図７】図７は、本実施形態の第１の変形例に係るシートガイド７０の正面図である。
【図８】図８は、本実施形態の第２の変形例に係るシートガイド５０の正面図である。
【図９】図９は、本発明の他の実施形態に係るシートガイド６０の正面図である。
【図１０】図１０は、シートガイド６０の裏面図である。
【図１１】図１１は、他の実施形態の変形例に係るシートガイド８０の正面図である。
【発明を実施するための形態】
【００３０】
以下、適宜図面が参照されつつ本発明の好ましい実施形態が説明される。なお、本実施形態は本発明の一実施態様にすぎず、本発明の要旨を変更しない範囲で本実施態様が変更され得ることは言うまでもない。
【００３１】
[複合機の概略]
【００３２】
図１及び図２は、本発明の一実施形態に係る複合機１００の外観斜視図である。
【００３３】
複合機１００の上部に画像読取部１０２、下部にインクジェット記録方式のプリンタ部１０３（請求項に記載された「記録装置」に相当）が設けられている。複合機１００は、ファクシミリ機能、プリンタ機能、スキャナ機能、及びコピー機能などの各種の機能を有している。プリンタ部１０３は、後述の搬送路１０１を備えており、シート（典型的には記録用紙）が搬送路１０１に沿って搬送される。この搬送路１０１に記録部１０４（図３参照）が配置されており、この記録部１０４は、搬送路１０１に沿って送られるシートに画像を記録する。本実施形態の特徴とするところは、搬送路１０１の上流側に後述のシートガイド１０が備えられている点である。このシートガイド１０については後に詳述される。
【００３４】
［画像読取部の構成］
【００３５】
画像読取部１０２はプリンタ部１０３の上部に配設されている。画像読取部１０２は、操作パネル１０５と、スキャナ部１０６とを備えている。操作パネル１０５は、各種操作ボタンや液晶表示部から構成されており、複合機１００は、操作パネル１０５からの入力によって動作する。なお、本実施形態では、スキャナ部１０６は、フラットベッドスキャナ（ＦＢＳ：Flat Bed Scanner）及び自動原稿搬送装置（ＡＤＦ：Automatic Document Feeder）として構成されている。
【００３６】
［プリンタ部の構成］
【００３７】
プリンタ部１０３は筐体１０７を有し、この筐体１０７内にプリンタ部１０３の各構成要素が配設されている。プリンタ部１０３の正面に開口（不図示）が設けられており、この開口から筐体１０７の内部へ収容室が区画されている。この収容室に給紙カセット１０８（図３参照）が装着されている。プリンタ部１０３の背面１０９に開口１１０が設けられている。この開口１１０は、搬送路１０１と連通している。そして、この開口１１０に上記シートガイド１０が取り付けられている。このシートガイド１０は、開口１１０を開閉するように筐体１０７に回動可能に設けられている（図２参照）。
【００３８】
図３は、プリンタ部１０３の内部構造の要部を模式的に示している。
【００３９】
プリンタ部１０３の内部に搬送路１０１が形成されている。プリンタ部１０３は、給紙カセット１０８からシートをピックアップして図中左側へ送り出す給送部１１１と、シートにインク滴を吐出して画像を記録するインクジェット記録方式の記録部１１２などを備えている。給送部１１１から搬送路１０１に送られたシートは、搬送路１０１に沿って搬送向き（二点鎖線の矢印が示す向き）に搬送されつつ記録部１１２により画像が記録される。
【００４０】
［搬送路・搬送ローラ］
【００４１】
搬送路１０１は、給紙カセット１０８及びシートガイド１０から記録部１１２を経て排紙保持部１１３に到達するように形成されている。搬送路１０１は、給紙カセット１０８の先端から記録部１１２に至る湾曲した給送路１１４と、シートガイド１０の先端から給送路１１４との合流点３６に至る合流路１１６と、合流点３６から記録部１１２を経て排紙保持部１１３に至る記録案内路１１７とを有する。
【００４２】
給送路１１４が前述のように湾曲しているから、給紙カセット１０８から送り出されたシートは、分離傾斜板１１８を経てＵターンして記録案内路１１７に入る。合流路１１６は、シートガイド１０から供給されたシートを上記合流点１１５を経て記録案内路１１７に案内する。記録案内路１１７に進入したシートは、第１搬送ローラ１１９及びピンチローラ１２０にニップされ、搬送向きに送られる。この記録案内路１１７に沿って記録部１１２、第２搬送ローラ１２１が配置されている。搬送向きに送られるシートは、記録部１１２によって画像が記録される。記録部１１２は、記録ヘッド１２２を搭載したキャリッジ１２３と、記録案内路１１７を挟んでキャリッジ１２３と対向配置されたプラテン１２４とを有する。シートはプラテン１２４上に送られる。キャリッジ１２３が紙面に垂直な方向にスライドされつつ記録ヘッド１２２からインク滴が吐出されることにより、所要の画像がシートに記録されるようになっている。第２搬送ローラ１２１は拍車１２５と対をなしており、シートは第２搬送ローラ１２１及び拍車１２５によって挟持されて、さらに搬送向きに送られる。
【００４３】
［給送部］
【００４４】
給送部１１１は、給紙カセット１０８に収容されたシートを給送路１１４へ向けて送り出すものであり、給紙ローラ１２６と、給紙アーム１２７と、駆動伝達機構１２８とを備えている。給紙ローラ１２６は、給紙カセット１０８の上側に配置されている。給紙ローラ１２６は、給紙アーム１２７の先端に回転自在に軸支されており、給紙カセット１０８に収容されたシートをピックアップして給送路１１４へ給紙する。給紙アーム１２７の基端部は、基軸１２９を介して筐体１０７に連結されており、基軸１２９を中心として上下に揺動する。これにおり、給紙ローラ１２６は、給紙カセット１０８に収容されたシートの上面に圧接可能である。給紙ローラ２５は、図示されていない給紙用モータの回転力が駆動伝達機構２７を介して伝達されることにより回転する。なお、駆動伝達機構１２８は、給紙アーム１２７に設けられたギア列から構成されている。
【００４５】
［シートガイド概略］
【００４６】
図４は、シートガイド１０の外観斜視図である。
【００４７】
このシートガイド１０は、典型的には画像記録装置の給紙トレイに採用され、被記録媒体としての記録用紙その他のシートを支持し位置決めする。同図（ａ）はシートが載置される表面を示し、同図（ｂ）は裏面を示している。画像が記録されるべきシートは、所定の搬送向き１３に沿って給送され、同向き１３の下流側に配置された画像記録部（不図示）によって画像が記録される。シートガイド１０は、シートが搬送される際に予め複数のシートを搬送向き１３と直交する方向１４に位置決めし、整列させるものである。
【００４８】
このシートガイド１０は、一対の位置決め板（特許請求の範囲における「位置決め部材」の一例）１１、１２を備えている。各位置決め板１１、１２は、後に詳述されるラック・ピニオン機構１５を介して互いに上記方向１４に沿ってスライドする。すなわち、本実施形態に係るシートガイド１０は、いわゆるセンターレジタイプである。なお、本明細書では、上記方向１４は、「スライド方向１４」と称される。
【００４９】
図示されていない複数のシートは、各位置決め板１１、１２に挟み込まれるようにして整列され、各シートの中央がシートガイド１０の中央に一致するように位置決めがなされる。本実施形態の特徴とするところは、上記ラック・ピニオン機構１５の構造である。ラック・ピニオン機構１５が後述の構造を備えることにより、各位置決め板１１、１２が容易にスライドして各シートを位置決めすることができ、しかも当該シートを位置決めした状態が保持されるようになっている。
【００５０】
[シートガイドの構造]
【００５１】
シートガイド１０は、ベース１６と、上記位置決め板１１、１２と、ベース１６に配置されたピニオン１７と、このピニオン１７と噛合した一対のラック１８、１９とを備えている。上記位置決め板１１、１２は、それぞれ、一対のラック１８、１９と連結されている。
【００５２】
図５は、シートガイド１０の正面図である。同図（ａ）は全体図、同図（ｂ）は要部拡大図である。
【００５３】
図４及び図５が示すように、ベース１６は細長矩形の板状に形成されている。ベース１６の両側面に取付ピン２０が突設されている。この取付ピン２０は、複合機１００の筐体１０７と係合され、これにより、当該筐体１０７にシートガイド１０が装着されている。ベース１６は、メインプレート２１と、複数の補強リブ２２とを有する。このベース１６が上記合流路１１６の上流側と接続されている（図３参照）。本実施形態では、ベース１６は樹脂からなり、メインプレート２１及び各補強リブ２２は一体的に形成されている。各補強リブ２２は、メインプレート２１の剛性を高めるために当該メインプレート２１の周縁に配置され及び所要の部位に立設されている。なお、本実施形態では、シートガイド１０が画像形成装置の給紙トレイに採用されるため、各補強リブ２２が複雑に形成されているが、各補強リブ２２はメインプレート２１の所要の剛性を確保するために十分なものであればよい。
【００５４】
特に図４（ａ）が示すように、メインプレート２１に２つの案内溝２３（特許請求の範囲における「スライド案内部」の一例）が設けられている。これら案内溝２３は、上記スライド方向１４に沿って延びている。本実施形態では、２つの案内溝２３は、メインプレート２１の中央を基準に上記スライド方向１４に沿って対称に配置されている。上記ラック１８、１９が各案内溝２３に嵌合し、当該案内溝２３に案内されて上記スライド方向１４に沿ってスライドするようになっている。すなわち、ラック１８の一端部３９が一方の案内溝２３に嵌合し、ラック１９の一端部４０が他方の案内溝２３に嵌合しており、ラック１８、１９は、上記スライド方向１４にのみ移動することができ、当該方向１４以外の方向に変位することが規制されている。したがって、ラック１８、１９は、互いに対向した状態で接離するようにスライドする。
【００５５】
メインプレート２１の中央部、すなわち、一対の案内溝２３の境界部分にピニオン１７が配置されている。一対の案内溝２３の境界部分に支持軸２４が配置されている。この支持軸２４は、メインプレート２１に立設されており、ピニオン１７は、この支持軸２４に支持されて回転自在となっている。後に詳述されるように、上記ラック１８、１９はピニオン１７と噛合することによって上記ラック・ピニオン機構１５が構成される。
【００５６】
ラック１８は、細長棒状に形成された部材であって、クランク状に形成されている。すなわち、図４（ｂ）及び図５が示すように、ラック１８の中間部２５が屈曲されている。このラック１８の一端から上記中間部２５までの領域（ラック１８の一端部３９）が上記案内溝２３に嵌め込まれている。また、このラック１８の一端部３９に上記位置決め板１２が設けられている。さらに、ラック１８の上記中間部２５から他端２６までの領域に上記ピニオン１７と噛合する歯２７が形成されている。なお、ラック１８及び位置決め板１２は、樹脂により一体的に成形されている。
【００５７】
ラック１９は、ラック１８と左右対称形状に形成されている。すなわち、ラック１９もクランク状に形成されており、中間部２８が屈曲されている。このラック１９の一端から上記中間部２８までの領域（ラック１９の一端部４０）が上記案内溝２３に嵌め込まれている。このラック１９の一端部４０に上記位置決め板１１が設けられている。ラック１９の上記中間部２８から他端２９までの領域に歯３０が形成されており、この歯３０が上記ピニオン１７と噛合している。上記位置決め板１１は、ラック１９と共に樹脂により一体的に成形されている。このようにピニオン１７を挟んでラック１８、１９が対向配置されることにより上記ラック・ピニオン機構１５が構成されており、ラック１８、１９が上記スライド方向１４に沿ってスライドすることによって位置決め板１１、１２が相対的に接離する。
【００５８】
図５が示すように、メインプレート２０の所定部位に配置された補強リブ２２、すなわち、上記搬送向き１３の上流側に配置された補強リブ２２に押圧アーム３１（特許請求の範囲における「押圧部材」の一例）が設けられている。この押圧アーム３１は、当該補強リブ２２と一体的に形成されている。同図（ｂ）が示すように、押圧アーム３１は、上記スライド方向１４に沿って延びる細長帯状に形成されている。押圧アーム３１は、一対の連結脚３２、３３を介して補強リブ２２に固定されている。押圧アーム３１の先端部に凸部３４が形成されている。この凸部３４は、同図が示すように搬送向き１３の下流側に向かって突出しており、ラック１８を搬送向き１３に押し付けている。したがって、ラック１８は、凸部３４によってピニオン１７側へ押圧されている。すなわち、ラック１８は、ピニオン１７によって上記搬送向き１３と反対向きに支持された状態で、当該支点（ピニオン１７と噛合している部位）よりも他端２６側の部位を上記凸部３４によって上記搬送向き１３に押圧された状態となっている。これにより、ラック１８は曲げモーメントが付加されて上記搬送向き１３の下流側へ弾性的に変形する。
【００５９】
また、メインプレート２１に支持板（特許請求の範囲における「支持部材」の一例）３５が取り付けられている。この支持板３５は、図５（ａ）が示すようにＬ字状に形成されており、メインプレート２１及び上記搬送向き１３の上流側に配置された補強リブ２２に掛け渡すように配置されている。この支持板３５は、支持面３６を備えている。この支持面３６は、上記スライド方向１４に沿って延びている。したがって、上記ラック１８は、上記押圧アーム３１に押圧されることによって上記搬送向き１３の下流側へ変形するが、その場合、ラック１８の他端２６は支持面３６に当接し、支持板３５によって上記搬送向き１３と反対向きに支持される。上記ラック・ピニオン機構１５によってラック１８が上記スライド方向１４に移動したときは、ラック１８の他端２６は、支持面３６上を上記スライド方向１４に摺動する。
【００６０】
さらに、同図（ｂ）が示すように、本実施形態では、上記支持面３６のうちピニオン１７の近傍の領域３７が傾斜している。具体的には、当該領域３７は、支持面３６のピニオン１７が配置された側の端部３８から上記スライド方向１４に沿って当該ピニオン１７から遠ざかるに連れてラック１８に近づくように傾斜している。換言すれば、支持面３６の上記領域３７は、上記押圧アーム３１がラック１８を押圧する押圧向きと反対側へ傾斜している。そのため、同図が示すように、ラック１８、１９が相対的にスライドし、位置決め板１１、１２間の距離が大きくなったとき（すなわち、ラック１８の他端２６がピニオン１７に近づいたとき）は、ラック１８の他端２６が上記支持面３６から相対的に離れる傾向にある。この支持面３６の作用効果及び当該支持面３６の一部が傾斜していることによる作用効果は、後述される。
【００６１】
[シート整列の要領]
【００６２】
シートは次の要領でシートガイド１０上で整列され位置決めされる。ユーザーは、位置決め板１１、１２を操作して互いに離反させる。位置決め板１１、１２はラック・ピニオン機構１５を介して対向配置されているので、ユーザーが位置決め板１１、１２のうち少なくとも一方を把持して上記スライド方向１４にスライドさせることにより、図４（ａ）が示すように、各位置決め板１１、１２は接近し、離反する（斜線）。複数のシートがメインプレート２１上に載置され、位置決め板１１、１２が接近することにより、シートのスライド方向１４の両縁は、位置決め板１１、１２に当接し、中央に位置決めされる。
【００６３】
図６は、シートガイド１０の裏面図であって、同図（ａ）〜（ｃ）は、ラック１８、１９がスライドする要領を示している。ラック１８、１９がスライド方向１４に沿ってスライドする際に、ラック１８、１９の一端部３９、４０が案内溝２３に案内される。したがって、ユーザーは、ラック１８、１９のスライド動作、すなわち位置決め板１１、１２の接離動作を円滑に行うことができる。しかも、ラック１８は、前述のように押圧アーム３１から押圧力を受けてピニオン１７へ押し付けられている。すなわち、ラック１８は、ピニオン１７と噛合している部位（ピニオン１７に支持された部位）を支点とし、当該支点から離れた位置に上記押圧力を受ける。したがって、ラック１８に曲げモーメントが作用し、上記支点に支点反力が発生する。この支点反力によってラック１８とピニオン１７との間に摩擦力が発生し、この摩擦力はラック１８のスライド抵抗となる。その結果、シートを位置決めした位置決め板１１、１２が容易にスライドすることが規制され、シートを位置決めした状態が保持される。なお、本実施形態では、上記押圧力はラック１８にのみ付加されるが、同様にラック１９にも上記押圧力が付加されるように構成されていてもよいことは勿論である。
【００６４】
ピニオン１７を支点としてラック１８が前述のように押圧されると、仮にラック１８の変形量が大きくなった場合に、ラック１８とラック１９とが接触するおそれがある。本実施形態では、支持板３５が設けられているから、ラック１８が大きく変形したとしても当該ラック１８は支持板３５に当接し、支持面３６に摺接してスライドする。したがって、ラック１８、１９同士の衝突が回避され、ラック１８、１９の損傷が防止される。
【００６５】
たとえば図６（ｂ）が示すように、ラック１８が支持面３６に当接した場合、ラック１８の他端２６と支持板３５との接触部位に支点が発生し、ラック１８の他端２６に所定の支点反力Ｒｂが生じる。したがって、ラック１８に付加される力は、上記ピニオン１７に支持された部位における支点反力Ｒａ、上記他端２６の支点反力Ｒｂ及び押圧アーム３１による押圧力Ｐである。そして、ラック１８がスライド方向１４に移動することによって押圧力Ｐと支点反力Ｒｂとのスパンｓが変化する。ここで、スパンｓが小さいとき、すなわち、ラック１８、１９の一端部３９、４０同士が互いに離反して位置決め板１１、１２間の距離が長くなったときは、上記支点反力Ｒｂが極端に大きくなり、ラック１８、１９の円滑なスライドが困難になるおそれがある。
【００６６】
ところが、支持板３５の支持面３６が傾斜していることから、前述のように、ラック１８の他端２６が図６（ｂ）が示す状態から図６（ａ）が示す状態までスライドして上記領域３７に進入すると、ラック１８の他端２６が上記支持面３６から相対的に離れる傾向にある。つまり、ラック１８の他端２６が上記支持面３６に押圧される力が緩和され、支点反力Ｒｂが小さくなる。本実施形態では、図５（ｂ）が示すように、ラック１８の他端２６がピニオン１７に近接したときに支持板３５から離反するように上記支持面３６の傾斜角度が設定されている。もっとも、ラック１８の他端２６が必ずしも上記支持面３６から離れる必要はなく、上記支持面３６の傾斜角度は、ラック１８の他端２６が常に支持板３５に接するように設定されていてもよい。このように、ラック１８の他端２６が支持面３６に押圧される力が緩和されて支点反力Ｒｂが極端に大きくなることが回避されるので、上記ラック１８、１９同士の衝突が回避されつつ、位置決め板１１、１２の円滑な接離動作が実現されるという利点がある。
【００６７】
［実施形態の第１の変形例］
【００６８】
図７は、本実施形態の第１の変形例に係るシートガイド７０の正面図である。同図（ａ）は全体図、同図（ｂ）は要部拡大図である。
【００６９】
この変形例に係るシートガイド７０が上記実施形態に係るシートガイド１０と異なるところは、シートガイド１０では、ラック１８の他端２６に発生する支点反力Ｒｂが緩和されるために、当該他端２６が当接する支持板３５の支持面３６が傾斜されていたのに対し、本変形例に係るシートガイド７０では、支持板７１がピニオン１７まで延びておらず、途中で切断されている点である。すなわち、支持板７１の端部７２（請求項に記載された「ピニオン側の端部」に相当）は、ピニオン１７から上記スライド方向１４に沿って一定距離だけ離れている。なお、その他の構成については、上記シートガイド１０と同様である。
【００７０】
前述のように、上記スパンｓが小さくなるに連れて上記支点反力Ｒｂが大きくなる。しかし、支持板７１の端部７２がピニオン１７から離れているので、上記スパンｓが一定以下になると、ラック１８の他端２６が支持板７１から離脱する。すなわち、上記支点反力Ｒｂが消滅するので、ラック１８がどのようにスライドしても押圧アーム３１がラック１８を押圧する力が一定以上とはならない。したがって、本変形例においても、ラック１８、１９同士の衝突が回避されながら、一対の位置決め板１１、１２の円滑な接離動作が実現される。
【００７１】
［実施形態の第２の変形例］
【００７２】
図８は、本実施形態の第２の変形例に係るシートガイド５０の正面図である。同図（ａ）は全体図、同図（ｂ）は要部拡大図である。
【００７３】
この変形例に係るシートガイド５０が上記実施形態に係るシートガイド１０と異なるところは、シートガイド１０では、ラック１８の他端２６に発生する支点反力Ｒｂが緩和されるために、当該他端２６が当接する支持板３５の支持面３６が傾斜されていたのに対し、本変形例に係るシートガイド５０では、ラック１８の背面５１が傾斜されている点である。なお、その他の構成については、上記シートガイド１０と同様である。
【００７４】
ラック１８の背面５１とは、押圧アーム３１が当接する面であって、押圧アーム３１が対向し押し付けられる面である。そして、この背面５１は、ラック１８の他端２６からスライド方向１４に沿って一端部３９側に向かって、ピニオン１７から離反する向き、すなわち、押圧アーム３１がラック１８を押圧する向きと反対側へ傾斜している（図４（ｂ）参照）。
【００７５】
この変形例においても、ラック１８は、ピニオン１７との噛合点を支点として押圧アーム３１により押圧されて弾性変形する。これにより、当該支点に押圧力Ｐが作用し、ラック１８の他端２６に支点反力Ｒｂが生じる。そして、もし押圧力Ｐと支点反力Ｒｂとのスパンｓが小さくなったとしても、ラック１８の背面５１が前述のように傾斜しているから、上記支点反力Ｒｂが極端に大きくなることが回避される。したがって、上記ラック１８、１９同士の衝突が回避されつつ、位置決め板１１、１２の円滑な接離動作が実現される。
【００７６】
［他の実施形態］
【００７７】
図９は、本発明の他の実施形態に係るシートガイド６０の正面図である。同図（ａ）は全体図、同図（ｂ）は要部拡大図である。
【００７８】
本実施形態に係るシートガイド６０が上記一実施形態に係るシートガイド１０と異なるところは、上記シートガイド１０では、図２が示すように押圧アーム３１が補強リブ２２に設けられ、この押圧アーム３１が、ラック１８とピニオン１７との噛合部位よりも他端２６側を押圧しているのに対して、本実施形態に係るシートガイド６０は、ラック１８の所定部に押圧片６２（特許請求の範囲における「当接部」の一例）が突設されると共に、上記搬送向き１３の上流側に配置された補強リブ２２に支持板６１（特許請求の範囲における「支持部材」の一例）が設けられており、当該支持板６１の支持面６３に上記押圧片６２が押し付けられている点である。これによって当該ラック１８がピニオン１７に押圧され、ラック１８、１９のスライドに一定の抵抗が生じるようになっている。なお、その他の構成は、上記一実施形態二係るシートガイド１０と同様である。
【００７９】
支持板６１は、上記補強リブ２２及びメインプレート２１に連結されており、これらは一体的に形成されている。支持板６１は、図９が示すようにスライド方向１４に延びており、当該支持板６１の下面（搬送向き１３の下流側の面）によって支持面６３が構成されている。上記押圧片６２が支持面６３に当接し、当該支持面６３は、相対的に押圧片６２を搬送向き１３の下流側（ピニオン１７が配置された側）へ押圧する。図９において、支持面６３の右端部、すなわち、ピニオン１７が配置された部位の近傍の領域６４は、傾斜している。具体的には、図９（ｂ）が示すように、当該領域６４では、上記スライド方向１４のラック１８の他端２６側に向かってピニオン１７との距離が漸次大きくなるように、支持面６３が傾斜している。
【００８０】
図９（ａ）が示すように、上記押圧片６２は、ブロック状に形成されており、ラック１８と一体的に形成されている。この押圧片６２は、ラック１８の中間部２５の近傍に配置されており、搬送向き１３と反対向きに突出している。すなわち、この押圧片６２は、ラック１８の上面（すなわち、搬送向き１３の上流側の面）に突設され、ピニオン１７が配置された側と反対側へ（搬送向き１３の上流側へ）突出している。本実施形態では、押圧片６２は上記中間部２５の近傍に配置されているが、押圧片６２の位置は、ピニオン１７と噛合している部位よりも一端部３９側であればよい。
【００８１】
図１０は、シートガイド６０の裏面図であって、同図（ａ）〜（ｃ）は、ラック１８、１９がスライドする要領を示している。
【００８２】
本実施形態に係るシートガイド６０においても、図１０が示すように位置決め板１１、１２がスライド方向１４にスライドし、互いに接離する。ラック１８に押圧片６２が突設されているから、ラック１８、１９がスライドする際に、ラック１８は、押圧片６２を介して支持板６１から押圧力Ｐを受ける。これにより、ラック１８に曲げモーメントが作用する。また、ラック１８とピニオン１７とが噛合した部位が支点となるので、当該支点に支点反力Ｒａが生じる。この支点反力Ｒａによってラック１８とピニオン１７との間に摩擦力が発生し、この摩擦力によってラック１８のスライドに抵抗が加わる。なお、本実施形態においても、上記押圧力Ｐはラック１８にのみ付加されるが、同様にラック１９にも上記押圧力Ｐが付加されるように構成されていてもよい。
【００８３】
本実施形態においても、ラック１８の一端部３９が案内溝２３に嵌め合わされているから、ラック１８に上記押圧力Ｐが作用した場合、ラック１８と案内溝２３との嵌合部位が支点となり、当該支点に所定の支点反力Ｒｃが生じる。このため、ラック１８は、上記支点反力Ｒａ、Ｒｃ及び上記押圧力Ｐを受ける。そして、ラック１８のスライドによって上記押圧力Ｐと支点反力Ｒａとのスパンｓが小さくなったときは、支点反力Ｒａが極端に大きくなり、ラック１８の円滑なスライドが困難になるおそれがある。しかし、上記支持板６１の支持面６３が前述のように傾斜しているから、図１０（ｃ）が示すように、ラック１８の押圧片６２が上記支持面６３の上記領域６４に進入したときは、押圧片６２の押圧力が小さくなり、上記支点反力Ｒａが極端に大きくなることが回避される。その結果、位置決め板１１、１２は、円滑に接離動作を行うことができる。
【００８４】
［他の実施形態の変形例］
【００８５】
図１１は、他の実施形態の変形例に係るシートガイド８０の正面図である。同図（ａ）は全体図、同図（ｂ）は要部拡大図である。
【００８６】
この変形例に係るシートガイド８０が上記他の実施形態に係るシートガイド６０と異なるところは、シートガイド６０では、ラック１８とピニオン１７とが噛合した部位に発生する支点反力Ｒａが緩和されるために、支持板６１の支持面６３が傾斜されていたのに対し、本変形例に係るシートガイド８０では、支持板８１がピニオン１７まで延びておらず、途中で切断されている点である。すなわち、支持板８１の端部８２（請求項に記載された「ピニオン側の端部」に相当）は、ピニオン１７から上記スライド方向１４に沿ってラック１８の一端部３９側に一定距離だけ離れている。なお、その他の構成については、上記シートガイド１０と同様である。
【００８７】
前述のように、ラック１８のスライドによって上記押圧力Ｐと支点反力Ｒａとのスパンｓが小さくなったときは当該支点反力Ｒａが大きくなる。しかし、支持板８１の端部８２がピニオン１７から離れているので、上記スパンｓが一定以下になると、ラック１８の押圧片６２が支持板８１から離脱する。すなわち、上記支点反力Ｒａが減少するので、ラック１８がどのようにスライドしても一対の位置決め板１１、１２の円滑な接離動作が実現される。
【符号の説明】
【００８８】
１０・・・シートガイド
１１・・・位置決め板
１２・・・位置決め板
１３・・・搬送向き
１４・・・スライド方向
１５・・・ラック・ピニオン機構
１６・・・ベース
１７・・・ピニオン
１８・・・ラック
１９・・・ラック
２３・・・案内溝
２６・・・他端
２９・・・他端
３１・・・押圧アーム
３４・・・凸部
３５・・・支持板
３６・・・支持面
３７・・・領域
３８・・・端部
３９・・・一端部
４０・・・一端部
５０・・・シートガイド
５１・・・背面
６０・・・シートガイド
６１・・・支持板  
６２・・・押圧片
６３・・・支持面
６４・・・領域
７０・・・シートガイド
７１・・・支持板
７２・・・端部
８０・・・シートガイド
８１・・・支持板
８２・・・端部
１００・・・複合機
１０１・・・搬送路
１０３・・・プリンタ部
１０４・・・記録部
１０７・・・筐体
【図１】
2012001327.tif 000003
【図２】
2012001327.tif 000004
【図３】
2012001327.tif 000005
【図４】
2012001327.tif 000006
【図５】
2012001327.tif 000007
【図６】
2012001327.tif 000008
【図７】
2012001327.tif 000009
【図８】
2012001327.tif 000010
【図９】
2012001327.tif 000011
【図１０】
2012001327.tif 000012
【図１１】
2012001327.tif 000013